(57)【特許請求の範囲】
【請求項１】
入力端子を有する表示素子と、該入力端子に対向し得る位置に出力端子を有する素子駆動部と、を備え、かつ、該素子駆動部から前記出力端子及び前記入力端子を介して前記表示素子に駆動信号を印加することに基づき種々の情報を表示する表示装置において、
前記表示素子が、電力を供給しない状態でも情報を保存するものであり、
前記素子駆動部に設けられ、前記表示素子の上面位置を規定する上面ガイドと、
前記素子駆動部に設けられ、前記表示素子の端縁位置を規定する端縁ガイドと、
前記出力端子の移動により前記入力端子及び前記出力端子を接離自在とし、前記上面ガイド及び前記端縁ガイドに位置が規定された前記表示素子の前記入力端子に前記出力端子を上方に移動させて押し付けて、前記入力端子及び前記出力端子を物理的・電気的に接続する接続手段と、を備え、
前記接続手段は、前記出力端子及び前記入力端子の物理的・電気的な接続を解除する際には、前記出力端子を下方に移動させて前記表示素子を切り離し可能な状態とする、
ことを特徴とする表示装置。
【請求項２】
前記表示素子及び前記素子駆動部が接離自在に構成された、
ことを特徴とする請求項１に記載の表示装置。
【請求項３】
前記接続手段が、電気的なアクチュエータである、
ことを特徴とする請求項１又は２に記載の表示装置。
【請求項４】
前記入力端子が、前記表示素子に対して定位置に配置された、
ことを特徴とする請求項１乃至３のいずれか１項に記載の表示装置。
【発明の詳細な説明】
【０００１】
【発明の属する技術分野】
本発明は、種々の情報を表示する表示装置に関する。
【０００２】
【従来の技術】
近年、情報機器の発達に伴って種々の表示装置が使用されているが、その一つにメモリー性を有する表示装置があり、かかる表示装置は、電力を消費せずに情報を保存できるようになっている。
【０００３】
この表示装置は、種々の情報を表示する表示パネルと、該表示パネルに駆動信号を印加する駆動部と、からなり、表示パネルに表示された情報を保存する場合には、駆動部内の半導体スイッチをオフにして表示パネルの印加電圧が保持されるように構成されていた。
【０００４】
【発明が解決しようとする課題】
しかしながら、従来の表示装置では、半導体スイッチをオフにしている状態でも電流が僅かながらリークしていて表示パネル内の保持電圧が低下し、情報を長期間保持することが困難であるという問題があった。
【０００５】
なお、このような問題を回避する方法としてダイオードを用いてリーク電流を防ぐ方法が特開昭４９−２７１９４号公報や特開昭４９−２９９９６号公報に提案されているが、かかる方法だけでは十分ではなかった。
【０００６】
そこで、本発明は、表示情報が時間と共に消失されることを防止する表示装置を提供することを目的とするものである。
【０００７】
【課題を解決するための手段】
本発明は上記事情を考慮してなされたものであり、入力端子を有する表示素子と、該入力端子に対向し得る位置に出力端子を有する素子駆動部と、を備え、かつ、該素子駆動部から前記出力端子及び前記入力端子を介して前記表示素子に駆動信号を印加することに基づき種々の情報を表示する表示装置において、
前記表示素子が、電力を供給しない状態でも情報を保存するものであり、
前記素子駆動部に設けられ、前記表示素子の上面位置を規定する上面ガイドと、
前記素子駆動部に設けられ、前記表示素子の端縁位置を規定する端縁ガイドと、
前記出力端子の移動により前記入力端子及び前記出力端子を接離自在とし、前記上面ガイド及び前記端縁ガイドに位置が規定された前記表示素子の前記入力端子に前記出力端子を上方に移動させて押し付けて、前記入力端子及び前記出力端子を物理的・電気的に接続する接続手段と、を備え、
前記接続手段は、前記出力端子及び前記入力端子の物理的・電気的な接続を解除する際には、前記出力端子を下方に移動させて前記表示素子を切り離し可能な状態とする、ことを特徴とする。
【０００８】
【発明の実施の形態】
以下、図１を参照して、本発明の実施の形態について説明する。
【０００９】
本発明に係る表示装置は、図１に符号Ｄ1 で示すように、入力端子１ａを有する表示素子１と、該入力端子１ａに対向し得る位置に出力端子２ａを有する素子駆動部２と、を備えている。そして、前記表示素子１は、電力を供給しない状態でも情報を保存するもの（すなわち、メモリー性を有するもの）であり、前記入力端子１ａ及び前記出力端子２ａは接離自在に構成されている。また、前記入力端子１ａ及び前記出力端子２ａを必要に応じて物理的・電気的に接続する接続手段３、が配置されている。
【００１０】
この場合、前記入力端子１ａ及び前記出力端子２ａだけを接離自在に構成するのではなく、前記表示素子１と前記素子駆動部２とを接離自在に構成しても良い。また、前記入力端子１ａ及び前記出力端子２ａの相対位置を規定する位置決め手段４を、前記表示素子１及び前記素子駆動部２の少なくとも一方に配置しても良い。なお、この位置決め手段４を前記素子駆動部２の方に配置した場合には、前記表示素子１の小型化及び軽量化を達成できる。
【００１１】
ここで、前記表示素子１としては、静電駆動でメモリ性を発揮するもの、例えば電気泳動を利用したものや、Ｔｗｉｓｔｉｎｇ  Ｂａｌｌを利用したものであって、マトリクス電極を有するものを挙げることができる。
【００１２】
また、上述した接続手段３としては、例えば、前記入力端子１ａと前記出力端子２ａとの間に押圧力を作用させることによってそれらの接続を達成するようにしたものを挙げることができ、具体的には、
(1) 弾性力を利用する弾性体（例えば、コイルスプリングや板バネやゴムやプラスチック等）
(2) 磁力を利用する磁石
(3) 電気的なアクチュエータ（例えば、電磁石や電気モータ等）
(4) 上記(1) 〜(3) を適宜組み合わせたもの
を挙げることができる。なお、前記入力端子１ａと前記出力端子２ａとの接続を絶つ方法としては、
(ア) 上述の電磁石や電気モータ等のようにその力を自由にオン／オフすることができるものを接続手段として用いる場合には、その力を一時的に消去した状態で両端子１ａ，２ａを引き離せば良く、
(イ) 上述の弾性体や磁石等のようにその力を自由にオン／オフすることはできないものを接続手段として用いた場合には、その力に逆らって両端子１ａ，２ａを引き離せば良い。
【００１３】
一方、上述した表示素子１は、片面にのみ表示部Ａを有するものであっても、両面に表示部Ａを有するものであっても良い。図１に示すように表示素子１を素子駆動部２にセットした状態を見る限りにおいては、表示素子１は片面のみが外部から視認できるだけであるため両面に表示部Ａを設ける意味はないが、表示素子１を素子駆動部２から切り離した状態では両面を視認できることとなり両面に表示部Ａを設けた場合には２倍の情報を持ち運びできることとなる。また、素子駆動部２にセットした状態で表示素子１の両面が視認できる装置の場合には、両面に表示部Ａを設けることが特に有効となる。
【００１４】
また一方、前記入力端子１ａは、前記表示素子１に対して移動自在となるように配置するのではなく、定位置に配置すると良い。
【００１５】
次に、本実施の形態の作用について説明する。
【００１６】
いま、前記接続手段３によって前記入力端子１ａ及び前記出力端子２ａの電気的接続を確保した状態で前記素子駆動部２から前記出力端子２ａ及び前記入力端子１ａを介して前記表示素子１に駆動信号を印加すると、該表示素子１は駆動されて種々の情報を表示する。
【００１７】
次に、本実施の形態の効果について説明する。
【００１８】
本実施の形態によれば、前記入力端子１ａ及び前記出力端子２ａは接離自在に構成されているため、前記接続手段３によるそれらの端子１ａ，２ａの電気的接続を必要に応じて絶つことができる。そして、それらの端子１ａ，２ａの電気的接続を絶った場合には、素子駆動部２における電流のリークにかかわらず、表示素子１の情報を長期間保持することができる。また、電流のリーク分を補うための電源を不要とし、その分、装置の軽量化を図ることができる。さらに、前記接続手段３による端子１ａ，２ａの物理的接続を絶つことによって両端子１ａ，２ａの摩耗や損傷を防止でき、端子１ａ，２ａの長寿命化を図ることができる。
【００１９】
一方、前記表示素子１と前記素子駆動部２とを接離自在に構成した場合には、前記表示素子１を、メモリーされた情報と共に前記素子駆動部２から切り離して紙のように簡単に持ち運びできる。つまり、表示素子１を紙に代わる情報坦持媒体（ペーパーライクディスプレイ）として利用でき、しかも、紙に情報を印刷しなければならないという手間を省くことができ、紙資源の消費を低減できる。
【００２０】
また一方、前記表示素子１の両面に表示部Ａを形成した場合には、表示できる情報量が多くなる。
【００２１】
一方、前記入力端子１ａを前記表示素子１の定位置に配置した場合には、前記接続手段３によって両端子１ａ，２ａの物理的接続を確保するだけで前記表示素子１の前記素子駆動部２への接続が完了し、両端子１ａ，２ａを切り離すだけで前記表示素子１が前記素子駆動部２から切り離されることとなる。したがって、それらの接続及び切り離し操作を簡便なワンタッチ操作で行うことができる。
【００２２】
【実施例】
以下、実施例に沿って本発明を更に詳細に説明する。
【００２３】
（実施例１）
本実施例においては、図１乃至図４に示す表示装置Ｄ1 を作成した。
【００２４】
すなわち、表示装置Ｄ1 の本体の側には、素子駆動部としての電気回路部２や、位置決め手段としてのガイド部材４や、接続手段としての電気モータ式ロック装置３を配置した。また、出力端子２ａは、電気回路部２とはフレキシブルケーブル６を介して接続するだけで、電気回路部２に対して移動自在に構成した。さらに、表示パネル（表示素子）１は、装置本体に対して着脱自在とした。
【００２５】
ここで、ガイド部材４は、電気モータ式ロック装置３の上方に水平に配置されて表示パネル１の上面位置を規定する上面ガイド４ａと、該ガイド４ａと電気モータ式ロック装置３との間に配置されて表示パネル１の端縁位置を規定する端縁ガイド４ｂと、によって構成した。
【００２６】
また、本実施例におけるロック装置３は、図３(a) に詳示するように、２つの電気モータ３０，３０と、各モータ３０，３０の出力軸３０ａ，３０ａに固定されたリンク部材３１，３１と、これらのリンク部材３１，３１によって支持された支持台３２と、によって構成した。ここで、支持台３２は、上述した出力端子２ａを載置するように配置し、モータ３０，３０は、その出力軸３０ａ，３０ａが表示パネル１と平行になるように該パネル１の両縁部下方にそれぞれ配置した。また、リンク部材３１，３１と支持台３２とは長孔３２ａによって連結した。なお、モータ３０には、出力端子２ａと入力端子１ａとが十分に接触されるような力を出力するものであって、リンク部材３１や支持台３２等を破損しない程度のものを用い、両モータ３０，３０の回転速度は同じにした。また、モータは、原理的には１つだけ設けても良いが、入力端子１ａと出力端子２ａとの接触性を高めるためには図示のように２つ設けた方が良い。
【００２７】
なお、出力端子２ａは、図２に詳示するように等間隔で多数配置し、入力端子１ａは、図４に詳示するように、表示パネル１の一端縁に沿った定位置に等間隔（出力端子２ａと同じピッチ）で多数配置した。
【００２８】
次に、本実施例の作用について説明する。
【００２９】
まず、上面ガイド４ａ及び端縁ガイド４ｂによって規定される位置に表示パネル１を挿入し、電気モータ３０，３０を起動した。これにより、リンク部材３１，３１は図３(a) に符号Ｂ1 で示す方向に回転され、支持台３２が上方に移動されて出力端子２ａを入力端子１ａに押し付ける。つまり、出力端子２ａと入力端子１ａとが支持台３２と上面ガイド４ａとに挟まれた状態となって電気的に接続される。この状態で、電気回路部２からフレキシブルケーブル６、出力端子２ａ及び入力端子１ａを介して表示パネル１に駆動信号を印加すると、表示パネル１には種々の情報が表示された。
【００３０】
次に、電気モータ３０，３０を再起動させてリンク部材３１，３１を図３(b) に符号Ｂ2 で示す方向に回転させた。これにより、支持台３２は下方に移動されて出力端子２ａと入力端子１ａとの接続が解除され、表示パネル１を装置本体から切り離し可能な状態となった。
【００３１】
次に、本実施例の効果について説明する。
【００３２】
本実施例によれば、リンク部材３１，３１を図３(b) に符号Ｂ2 で示す方向に回転させることによって出力端子２ａと入力端子１ａとの接続を絶つことができ、それに伴って、電気回路部２における電流のリークにかかわらず表示パネル１の情報を長期間保持することができた。また、電流のリーク分を補うための電源を不要とし、その分、装置の軽量化を図ることができた。さらに、上述のように端子１ａ，２ａの物理的接続を絶つことによって両端子１ａ，２ａの摩耗や損傷を防止でき、端子１ａ，２ａの長寿命化を図ることができた。
【００３３】
一方、表示パネル１を、メモリーされた情報と共に装置本体から切り離して持ち運びできた。
【００３４】
（実施例２）
本実施例においては、図５乃至図８に示す表示装置Ｄ2 を作成した。
【００３５】
すなわち、入力端子１１ａは、図６に示すように、実施例１と同様に等間隔で多数配置させたが、その間隙の一部には、Ｆｅからなる磁力作用部１１ｂを配置した。また、出力端子１２ａも、図７に示すように、実施例１と同様に等間隔で多数配置させたが、その間隙の一部には、Ｆｅからなる磁力作用部１２ｂを配置した。なお、これらの端子１１ａ，１２ａは、電気的接続が可能なようにそれぞれ対応する位置に形成し、磁力作用部１１ｂ，１２ｂも、接触が可能なようにそれぞれ対応する位置に形成した。また、接続手段としては電磁石を利用した電磁式ロック装置１３を用いた。それ以外の構成は実施例１と同じにした（図５参照）。
【００３６】
本実施例におけるロック装置１３は、図８(a) に詳示するように、２つの電磁石１３０Ｕ，１３０Ｄを上下に配置して構成し、上側の電磁石１３０Ｕはソレノイド１３１Ｕと鉄心１３２Ｕとによって構成し、下側の電磁石１３０Ｄはソレノイド１３１Ｄと鉄心１３２Ｄとによって構成した。また、出力端子１２ａは鉄心１３２Ｕに支持させ、その磁力作用部１２ｂと鉄心１３２Ｕとは接触するようにした。なお、これらの電磁石１３０Ｕ，１３０Ｄは、各ソレノイド１３１Ｕ，１３１Ｄに電流を流した時に互いに反発する磁界が発生するようにした。
【００３７】
次に、本実施例の作用について説明する。
【００３８】
まず、表示パネル１１を、上面ガイド４ａ及び端縁ガイド４ｂによって規定される位置に挿入し、両方のソレノイド１３１Ｕ，１３１Ｄに電流を流した。これにより、電磁石１３０Ｕ，１３０Ｄには互いに反発するような磁界が発生して鉄心１３２Ｕが浮上し、鉄心１３２Ｕに接触されている磁力作用部１２ｂは磁気を帯びて他方の磁力作用部１１ｂと引き合い、出力端子１２ａと入力端子１１ａとが鉄心１３２Ｕと上面ガイド４ａとに挟まれた状態となって電気的に接続された。そして、実施例１と同様、電気回路部２から表示パネル１１に駆動信号を印加すると、表示パネル１１には種々の情報が表示された。
【００３９】
次に、ソレノイド１３１Ｕ，１３１Ｄへの電流を絶って磁力を消滅させると、鉄心１３２Ｕや出力端子１２ａは自重によって移動されて出力端子１２ａと入力端子１１ａとの接続が解除され、表示パネル１１を装置本体から切り離し可能な状態となった。
【００４０】
本実施例によれば、実施例１と同様の効果が得られた。
【００４１】
【発明の効果】
以上説明したように、本発明によると、前記入力端子及び前記出力端子は接離自在に構成されているため、前記接続手段によるそれらの端子の電気的接続を必要に応じて絶つことができる。そして、それらの端子の電気的接続を絶った場合には、素子駆動部における電流のリークにかかわらず表示素子の情報を長期間保持することができる。また、電流のリーク分を補うための電源を不要とし、その分、装置の軽量化を図ることができる。さらに、前記接続手段による端子の物理的接続を絶つことによって両端子の摩耗や損傷を防止でき、端子の長寿命化を図ることができる。
【００４２】
一方、前記表示素子と前記素子駆動部とを接離自在に構成した場合には、前記表示素子を、メモリーされた情報と共に前記素子駆動部から切り離して紙のように簡単に持ち運びできる。つまり、表示素子を紙に代わる情報坦持媒体（ペーパーライクディスプレイ）として利用でき、しかも、紙に情報を印刷しなければならないという手間を省くことができ、紙資源の消費を回避できる。
【００４３】
また一方、前記表示素子の両面に表示部を形成した場合には、表示できる情報量が多くなる。
【００４４】
一方、前記入力端子を前記表示素子の定位置に配置した場合には、前記接続手段によって両端子の物理的接続を確保するだけで前記表示素子の前記素子駆動部への接続が完了し、両端子を切り離すだけで前記表示素子が前記素子駆動部から切り離されることとなる。したがって、それらの接続及び切り離し操作を簡便なワンタッチ操作で行うことができる。
【図面の簡単な説明】
【図１】本発明に係る表示装置の構造の一例を示す断面図。
【図２】図１のＣ−Ｃ端面図。
【図３】ロック装置の駆動を説明するための図。
【図４】入力端子の形状等を説明するための図。
【図５】本発明に係る表示装置の構造の他の例を示す断面図。
【図６】入力端子の形状等を説明するための図。
【図７】出力端子の形状等を説明するための図。
【図８】ロック装置の駆動を説明するための図。
【符号の説明】
１          表示パネル（表示素子）
１ａ        入力端子
２          電気回路部（素子駆動部）
２ａ        出力端子
３          ロック装置（接続手段）
４ａ        上面ガイド（位置決め手段）
４ｂ        端縁ガイド（位置決め手段）
１１        表示パネル（表示素子）
１１ａ      入力端子
１２ａ      出力端子
１３        ロック装置（接続手段）
Ａ          表示部
Ｄ1         表示装置
Ｄ2         表示装置
【図１】
0004401476.tif 000002
【図２】
0004401476.tif 000003
【図３】
0004401476.tif 000004
【図４】
0004401476.tif 000005
【図５】
0004401476.tif 000006
【図６】
0004401476.tif 000007
【図７】
0004401476.tif 000008
【図８】
0004401476.tif 000009